(57)【特許請求の範囲】
【請求項１】
ガス管に穿孔された第１連通孔から挿入されて該ガス管内で膨張して前記ガス管内を仕切りながらガス流通下流側に移動可能な隔壁部と、
該隔壁部よりガス流通上流側の管路内ガス圧力が所定値より小さくならないように前記隔壁部のガス流通下流側への移動を制御する移動制御部を備え、
前記隔壁部は、前記移動制御部による移動制御を受けながら前記ガス管内をガス流通下流側に移動して、前記隔壁部よりガス流通下流側のガス管内の気体を前記第１連通孔よりガス流通下流側の前記ガス管に穿孔された第２連通孔から排出しながら前記隔壁部よりガス流通上流側のガス管内の他の気体に置換することを特徴とするガスパージ装置。
【請求項２】
前記移動制御部は、紐部材を有して該紐部材の巻き上げが可能であり、前記紐部材の先端部が前記第２連通孔から前記ガス管内に挿入されて前記第１連通孔からガス管内に挿入された隔壁部に接続され、前記隔壁部よりガス流通上流側の管路内ガス圧力が所定値より小さくならないように前記紐部材の巻き上げを制御して前記隔壁部のガス流通下流側への移動を制御することを特徴とする請求項１に記載のガスパージ装置。
【請求項３】
前記移動制御部は、前記第２連通孔から挿入されて前記ガス管内の気体吸引が可能な吸引管を有し、前記隔壁部よりガス流通上流側の管路内ガス圧力が所定値より小さくならないように前記吸引管による気体吸引を制御して前記隔壁部のガス流通下流側への移動を制御することを特徴とする請求項１に記載のガスパージ装置。
【請求項４】
前記移動制御部は、紐部材を有して該紐部材の繰り出しが可能であり、前記紐部材の先端部が前記第１連通孔から前記ガス管内に挿入されて前記第１連通孔からガス管内に挿入された隔壁部に接続され、前記隔壁部よりガス流通上流側の管路内ガス圧力を受けてガス流通下流側へ移動する前記隔壁部の移動によって変化する管路内ガス圧力が所定値より小さくならないように前記紐部材の繰り出しを制御することを特徴とする請求項１に記載のガスパージ装置。
【請求項５】
前記隔壁部は、前記第１連通孔から挿入されて前記ガス管内にて膨張・収縮可能なバッグ本体と、該バッグ本体を包むようにして設けられて膨張するバッグ本体を所定の大きさに規制する形状規制手段とを有することを特徴とする請求項１から４のいずれかに記載のガスパージ装置。
【請求項６】
ガス管内の気体を他の気体に置換するガスパージ方法であって、
前記ガス管内で膨張して該ガス管内を仕切りながらガス流通下流側に移動可能な隔壁部を前記ガス管に穿孔された第１連通孔から挿入する工程と、
該隔壁部よりガス流通上流側の管路内ガス圧力が所定値より小さくならないように前記隔壁部のガス流通下流側への移動を制御して、前記隔壁部よりガス流通下流側のガス管内の気体を前記第１連通孔よりガス流通下流側に穿孔された第２連通孔から排出しながら前記隔壁部よりガス流通上流側の他の気体に置換する工程と、
前記隔壁部を前記ガス管路内で収縮させて前記第２連通孔から外に取り出す工程と
を有することを特徴とするガスパージ方法。
【発明の詳細な説明】
【技術分野】
【０００１】
本発明は、ガス管内の気体を他の気体に置換するガスパージ装置及びガスパージ方法に関する。
【背景技術】
【０００２】
既設のガス管に新たなガス管を設けたり、既設のガス管の一部を新たなガス管に取り替えたり、既設のガス管の一部を廃止したりする場合には、管路内の空気をガスに置換したり、ガスを空気に置換する工事等が行われる。これらの置換工事は、ガス管に穿孔された連通孔より管路内のガスや空気をパージする方法が一般的に用いられている。
【０００３】
例えば、特許文献１に記載されているように、集合住宅へのガス供給設備において、集合住宅に延びるガス管（文献では共用立管）よりガス流通上流側のガス管を新たなガス管に取り替えた場合には、この新たなガス管より下流側に設置されたガスメータからパージ用のガスを共用立管に押し込み供給するとともに、新たなガス管よりガス流通上流側からガスを供給して、新たなガス管に設けられた連通孔（文献ではバイパスサドル）から管路内の気体を排出する。
【０００４】
このように、新たなガス管より下流側に設置されたガスメータからパージ用のガスを供給しながら、新たなガス管のガス流通上流側からガスを供給して連通孔から排気するので、新たなガス管内の空気やそれより下流側の共用立管内に混入した空気をパージすることができる。
【０００５】
【特許文献１】特開２００５−１３３８８８号公報（第２図）
【発明の開示】
【発明が解決しようとする課題】
【０００６】
このような従来の空気のパージでは、空気とガスが混ざった状態の気体を連通孔から排気する場合にはガス管内の空気をパージすることができる。しかしながら、ガス管内でガスが上層に移動し空気が下層に移動するような層状に分離している場合には、従来の空気のパージでは上層にあるガス層が連通孔から放出され続け、このような状態で所定時間が経過すると、作業者はパージ作業が完了したものとみなす場合がある。このようにパージ作業が完了したものとみなされると、ガス管内に空気が残存して不点火等の支障が生じる虞がある。
【０００７】
またガスと空気の２層に分離した気体から空気をパージする場合、比重の軽いガス層を放出した後に比重の重い空気をパージするため、ガスに空気が混ざった気体をパージする場合と比較して、パージするための作業時間が長くなるという問題がある。
【０００８】
本発明は、このような問題に鑑みて提案されたものであり、パージの作業時間が短縮化し、ガス管内に空気が残存して不点火等の支障が生じる虞のないガスパージ装置及びガスパージ方法を提供することを目的とする。
【課題を解決するための手段】
【０００９】
このような課題を解決するために、本発明のガスパージ装置は、ガス管（例えば、実施形態における既設ガス管Ｔｕ）に穿孔された第１連通孔から挿入されて該ガス管内で膨張してガス管（例えば、実施形態における新設ガス管Ｔｓ）内を仕切りながらガス流通下流側に移動可能な隔壁部と、該隔壁部よりガス流通上流側の管路内ガス圧力が所定値より小さくならないように隔壁部のガス流通下流側への移動を制御する移動制御部を備え、隔壁部は、移動御制部による移動制御を受けながらガス管内をガス流通下流側に移動して、隔壁部よりガス流通下流側のガス管内の気体を第１連通孔よりガス流通下流側のガス管に穿孔された第２連通孔から排出しながら隔壁部よりガス流通上流側のガス管内の他の気体に置換することを特徴とする。
【００１０】
この発明によれば、ガス管内を仕切りながらガス流通下流側に移動可能な隔壁部よりガス流通上流側の管路内ガス圧力が所定値より小さくならないように隔壁部のガス流通下流側への移動を制御することにより、隔壁部をガス管内のガス流通上流側から下流側へ移動させるだけで、隔壁部よりガス流通下流側のガス管内の気体を隔壁部よりガス流通上流側のガス管内の他の気体に置換することができる。このため、隔壁部よりガス流通下流側のガス管内の気体を、隔壁部よりガス流通上流側のガス管内の気体に確実に置換することができる。このため、隔壁部よりガス流通下流側のガス管内の気体が空気を含む場合、この気体を、隔壁部よりガス流通上流側のガス管内の空気を含まない気体に確実に置換することができ、置換後のガス管内に空気が残存することがなくなり、不点火等の支障が生じる事態を防止することができる。また隔壁部よりガス流通下流側のガス管内の気体が層状に分離している場合であっても、隔壁部の移動によりガス流通下流側のガス管内の気体は圧縮されて第２連通孔から強制的にパージされるので、気体をパージする作業時間を短縮化することができる。
【００１１】
また本発明の移動制御部は、紐部材を有して該紐部材の巻き上げが可能であり、紐部材の先端部が第２連通孔からガス管内に挿入されて第１連通孔からガス管内に挿入された隔壁部に接続され、隔壁部よりガス流通上流側の管路内ガス圧力が所定値より小さくならないように紐部材の巻き上げを制御して隔壁部のガス流通下流側への移動を制御することを特徴とする。
【００１２】
この発明によれば、移動制御部は、隔壁部よりガス流通上流側の管路内ガス圧力が所定値より小さくならないように紐部材の巻き上げを制御することにより、隔壁部は、これよりガス流通上流側の管路内ガス圧力の変動に拘わらず、紐部材の巻き上げによってのみ移動するので、隔壁部の移動が安定化してガス管内の気体の置換を確実にすることができる。
【００１３】
また本発明の移動制御部は、第２連通孔から挿入されてガス管内の気体吸引が可能な吸引管を有し、隔壁部よりガス流通上流側の管路内ガス圧力が所定値より小さくならないように吸引管による気体吸引を制御して隔壁部のガス流通下流側への移動を制御することを特徴とする。
【００１４】
この発明によれば、移動制御部は、隔壁部よりガス流通上流側の管路内ガス圧力が所定値より小さくならないように吸引管による気体吸引を制御することにより、隔壁部は、これよりガス流通上流側の管路内ガス圧力の変動に拘わらず、気体吸引によってのみ移動するので、隔壁部の移動が安定化してガス管内の気体の置換を確実にすることができる。またガス流通下流側の管路内は気体が吸引されるので、ガス流通上流側の管路内の気体への置換をより確実にすることができる。
【００１５】
また本発明の移動制御部は、紐部材を有して該紐部材の繰り出しが可能であり、紐部材の先端部が第１連通孔からガス管内に挿入されて第１連通孔からガス管内に挿入された隔壁部に接続され、隔壁部よりガス流通上流側の管路内ガス圧力を受けてガス流通下流側へ移動する隔壁部の移動によって変化する管路内ガス圧力が所定値より小さくならないように紐部材の繰り出しを制御することを特徴とする。
【００１６】
この発明によれば、移動制御部は、隔壁部よりガス流通上流側の管路内ガス圧力が所定値より小さくならないように紐部材の繰り出しを制御することにより、隔壁部は、管路内ガス圧力を受けて移動するので、隔壁部とガス管内面との接触圧力を小さくすることができる。このため、隔壁部を膨張させる内部圧力を小さくすることができ、隔壁部の損傷を抑制することができる。
【００１７】
また本発明の隔壁部は、第１連通孔から挿入されてガス管内にて膨張・収縮可能なバッグ本体と、該バッグ本体を包むようにして設けられて膨張するバッグ本体を所定の大きさに規制する形状規制手段とを有することを特徴とする。
【００１８】
この発明によれば、隔壁部はバッグ本体と形状規制手段とを有してなることにより、ガス管内にて膨張したバッグ本体を所定の大きさに維持することができる。このため、隔壁部の内面と隔壁部との摩擦抵抗を略一定にすることができ、ガス流通下流側のガス管内のガス圧力に応じた隔壁部の移動量の設定が容易となり、移動制御部による隔壁部の移動制御をし易くすることができる。
【００１９】
さらに本発明のガスパージ方法は、ガス管内の気体を他の気体に置換するガスパージ方法であって、ガス管内で膨張して該ガス管内を仕切りながらガス流通下流側に移動可能な隔壁部をガス管に穿孔された第１連通孔から挿入する工程と、該隔壁部よりガス流通上流側の管路内ガス圧力が所定値より小さくならないように隔壁部のガス流通下流側への移動を制御して、隔壁部よりガス流通下流側のガス管内の気体を第１連通孔よりガス流通下流側に穿孔された第２連通孔から排出しながら隔壁部よりガス流通上流側の他の気体に置換する工程と、隔壁部をガス管路内で収縮させて第２連通孔から外に取り出す工程とを有することを特徴とする。
【００２０】
この発明によれば、第１連通孔から挿入された隔壁部は、これよりガス流通上流側の管路内ガス圧力が所定値より小さくならないように隔壁部のガス流通下流側への移動が制御されて、隔壁部よりガス流通下流側のガス管内の気体を第２連通孔から排出しながら隔壁部よりガス流通上流側の他の気体に置換した後に、第２連通孔から取り出されることにより、隔壁部よりガス流通下流側のガス管内の気体に空気が含まれている場合でも、この気体を、隔壁部よりガス流通上流側のガス管内の空気が含まれていない気体に確実に置換することができる。このため、ガス管路内に空気が残存することはなく、不点火等の支障が生じる事態を防止することができる。また隔壁部よりガス流通下流側のガス管内の気体が層状に分離している場合であっても、隔壁部の移動によってガス流通下流側の層状の気体は圧縮されて第２連通孔から強制的にパージされるので、気体をパージする作業時間を短縮化することができる。
【発明の効果】
【００２１】
本発明に係わるガスパージ装置及びガスパージ方法によれば、ガス管内を仕切りながらガス流通下流側に移動可能な隔壁部よりガス流通上流側の管路内ガス圧力が所定値より小さくならないように、隔壁部のガス流通下流側への移動を制御することで、パージの作業時間を短縮化し、且つガス管内に空気が残存して不点火等の支障が生じる虞を防止することができる。
【発明を実施するための最良の形態】
【００２２】
以下、本発明に係わるガスパージ装置及びガスパージ方法の好ましい実施の形態を図１から図５に基づいて説明する。本実施の形態は、既設のガス管（以下、「既設ガス管」と記す。）の一部を新設のガス管（以下、「新設ガス管」と記す。）に取り替えた場合を例にして説明する。先ず、本発明のガスパージ方法を説明する前に、ガスパージ装置について説明する。
【００２３】
ガスパージ装置１は、図１（側面図）に示すように、新設ガス管Ｔｓよりガス流通上流側の既設ガス管Ｔｕに穿孔された第１連通孔３から挿入されて新設ガス管Ｔｓ内で膨張して新設ガス管Ｔｓ内を仕切りながらガス流通下流側に移動して新設ガス管Ｔｓよりガス流通下流側の既設ガス管Ｔｕに穿孔された第２連通孔４から外に取り出し可能な隔壁部１０と、隔壁部１０よりガス流通上流側の管路内ガス圧力が所定値より小さくならないように隔壁部１０のガス流通下流側への移動を制御する移動制御部３０とを備える。
【００２４】
隔壁部１０は、図２（ａ）（部分断面図）に示すように、ガス管内にて膨張・収縮可能なバッグ本体１１と、これを包むようにして設けられて膨張するバッグ本体１１を所定の大きさに規制する形状規制手段１５とを有する。
【００２５】
バッグ本体１１は、合成樹脂材料（例えば、ポリウレタンゴム）で形成されて柔軟性を有し、膨張状態において略ラグビーボール状をなし、縮小状態においては折り畳まれて図１に示す第１連通孔３を通って新設ガス管Ｔｓ内に挿入されるとともに第２連通孔４を通って外に取り出し可能である。バッグ本体１１には図示省略の空気注入口が設けられ、この空気注入口に接続されたチューブを介してバッグ本体１１内に空気を注入し、且つバッグ本体１１内の空気を排出することができる。
【００２６】
形状規制手段１５は、ガス管内で膨張したバッグ本体１１の中央部１１ａの周面が管路の延びる方向に所定幅を有してガス管内面に接触するように構成されており、複数の金属細線１６（例えば、ピアノ線）を格子状に配置して繋いで膨張したバッグ本体１１と相似する略ラグビーボール状に形成されている。金属細線１６はバッグ本体１１とともに折り畳まれて、図１に示す第１連通孔３及び第２連通孔４を通過可能である。また形状規制手段１５は、ガス管内で膨張したバッグ本体１１がガス管内のガス圧力を受けてガス流通下流側に移動しないような大きさを有している。このため、ガス管内に設置されて膨張した隔壁部１０は、ガス管内のガス圧力を受けてもガス流通下流側には移動しない。
【００２７】
なお、隔壁部１０は、図２（ｂ）（側面図）に示すように、ラグビーボールの一方側端部を欠いた略円錐台状に形成されてもよい。
【００２８】
このように構成された隔壁部１０の移動を制御する移動制御部３０は、図１に示すように、新設ガス管Ｔｓ内に挿入された隔壁部１０よりガス流通上流側のガス圧力を検出するガス圧検出部３１と、紐部材（例えば、ピアノ線）４１を有して紐部材４１の巻き上げ及び繰り出しが可能であり、紐部材４１の先端部を隔壁部１０の形状規制手段１５の一方側端部に繋ぎ、ガス圧検出部３１により検出された検出値が所定値より小さくならないように紐部材４１の巻き上げを制御して隔壁部１０のガス流通下流側への移動を制御する制御本体部４０とを有してなる。なお、所定値とは、既設ガス管Ｔｕ内のガス圧力の許容下限値をいう。
【００２９】
ガス圧検出部３１は、ガス圧力を検出するセンサ部３２とセンサ部３２からの検出値をガス圧力値に変換して制御本体部４０に送るガス圧検出本体部３３とを有してなる。センサ部３２により検出された検出値はケーブル３４を通ってガス圧検出本体部３３に送られ、ガス圧検出本体部３３から送られるガス圧力値はケーブル３５を通って制御本体部４０に送られる。
【００３０】
制御本体部４０は、紐部材４１を巻回するドラム４３とドラム４３を回転させる図示省略のモータとガス圧検出部３１から送られるガス圧力値に応じてモータの駆動を制御する図示省略のコントローラとを有してなる。コントローラは、ガス圧検出部３１から送られるガス圧力値が所定値より小さくならないようにドラム４３の回転を制御して紐部材４１の巻き上げをコントロールする。このため、隔壁部１０よりガス流通上流側の新設ガス管Ｔｓ内のガス圧力が所定値より小さくなることはない。
【００３１】
次に、前述したガスパージ装置１を用いて既設ガス管Ｔｕの一部を新設ガス管Ｔｓに取り替えた場合において、新設ガス管Ｔｓ内の空気をガスに置換するガスパージ方法について説明する。先ず、図３（ａ）（側面図）に示すように、既設ガス管Ｔｕの取り替え部分よりガス流通上流側とガス流通下流側の既設ガス管Ｔｕに第１連通孔３及び第２連通孔４を穿孔する。そして、第１連通孔３から既設ガス管Ｔｕ内にガスバッグ５０を挿入してガス流通上流側に設置した後に、第１連通孔３から既設ガス管Ｔｕ内に他のガスバッグ５１を挿入してガス流通下流側に設置する。そして、第２連通孔４から既設ガス管Ｔｕ内にガスバッグ５２を挿入してガス流通下流側に設置した後に、第２連通孔４から既設ガス管Ｔｕ内にガスバッグ５３を挿入してガス流通上流側に設置して、既設ガス管Ｔｕを遮断する。そして、これらのガスバッグ５０〜５３によって遮断された既設ガス管Ｔｕの一部を新設ガス管Ｔｓに取り替える。
【００３２】
そして、図３（ｂ）（側面図）に示すように、既設ガス管Ｔｕの内側に挿入された一対のガスバッグ５１，５３を第１連通孔３及び第２連通孔４から取り出し、先端部に小さなパラシュート５５が繋がれたケーブル５６を第１連通孔３から既設ガス管Ｔｕ内に挿入する。そして、圧力の小さい空気やＣＮＧガス等を第１連通孔３から送り込んで、パラシュート５５を新設ガス管Ｔｓ内でガス流通下流側へ移動させる。そして、パラシュート５５が第２連通孔４の近くに移動すると、第２連通孔４から図示省略の棒状部材等を挿入してパラシュート５５を棒状部材等に引っ掛けて外に取り出し、第１連通孔３及び第２連通孔４との間のガス管路内にケーブル５６を通線する。
【００３３】
そして、通線されて第２連通孔４から延びるケーブル５６に制御本体部４０のドラム４３に巻回された紐部材４１を接続し、第１連通孔３から既設ガス管Ｔｕ内に延びるケーブル５６を巻き上げながら、紐部材４１をドラム４３から繰り出して新設ガス管Ｔｓ内に通して第１連通孔３から外に延ばし、紐部材４１を第１連通孔３及び第２連通孔４間のガス管内に通線する。
【００３４】
そして、紐部材４１の先端部を隔壁部１０の形状規制手段１５の一方側端部に繋ぎ、隔壁部１０を縮小状態にして第１連通孔３から既設ガス管Ｔｕ内に挿入する。そして、図３（ｃ）（側面図）に示すように、隔壁部１０を膨張させて隔壁部１０よりガス流通上流側と下流側との間のガス流通を遮断し、ガス圧検出部３１のセンサ部３２を第１連通孔３から既設ガス管Ｔｕ内に挿入する。
【００３５】
そして、ガス圧検出部３１及び制御本体部４０に電力を供給して、これらを作動可能な状態にする。そして、図３（ｄ）（側面図）に示すように、ガス流通上流側に設置されたガスバッグ５０を第１連通孔３から取り外して既設ガス管Ｔｕ内のガスを新設ガス管Ｔｓに供給する。ガスバッグ５０が取り外されると、既設ガス管Ｔｕ内のガス圧力が隔壁部１０に作用して隔壁部１０がガス流通下流側に付勢される。しかしながら、隔壁部１０は前述したようにガス圧力を受けても移動しないように膨張しているので、隔壁部１０がガス流通下流側に移動することはない。そして、隔壁部１０よりガス流通上流側の既設ガス管Ｔｕ内のガス圧力が所定値より大きいことをガス圧検出部３１が検出すると、制御本体部４０は紐部材４１を巻き上げる方向にドラム４３を回転させる。その結果、隔壁部１０は新設ガス管Ｔｓ内をガス流通下流側に移動する。そして、隔壁部１０よりガス流通上流側の既設ガス管Ｔｕ内のガス圧力が所定値より小さくなろうとすると、制御本体部４０はドラム４３の回転を停止させて隔壁部１０のガス流通下流側への移動を規制する。
【００３６】
このようにして、隔壁部１０は新設ガス管Ｔｓのガス流通上流側からガス流通上流側に移動する。これと同時に、隔壁部１０よりガス流通下流側の新設ガス管Ｔｓ内の空気は第２連通孔４から排出されて隔壁部１０よりガス流通上流側の既設ガス管Ｔｕ内のガスに置換される。そして、隔壁部１０が第２連通孔４の近くに移動すると、隔壁部１０を収縮して第２連通孔４から外に取り出し、センサ部３２を第１連通孔３から外に取り出し、これらの連通孔を塞ぐ。
【００３７】
その結果、新設ガス管Ｔｓ内に空気が残存することはなく、不点火等の支障が生じる事態を防止することができる。また隔壁部１０よりガス流通下流側の新設ガス管Ｔｓ内の気体がガスと空気の２層状に分離している場合であっても、この層状の気体はガス流通下流側へ移動する隔壁部１０によって圧縮されて第２連通孔４から強制的にパージされるので、気体をパージする作業時間を短縮化することができる。
【００３８】
また隔壁部１０はこれよりガス流通上流側の管路内ガス圧力が変動してもこの影響を受けることなく紐部材４１の巻き上げによってのみ移動するので、隔壁部１０の移動は安定化して、新設ガス管Ｔｓ内の気体の置換を確実にすることができる。
【００３９】
なお、図４（側面図）に示すように、移動制御部３０の制御本体部４０は、第２連通孔４から挿入されて新設ガス管Ｔｓ内の気体を吸引可能な吸引管４５を有してもよい。この場合、制御本体部４０は、隔壁部１０よりガス流通上流側の管路内ガス圧力が所定値より小さくならないように、吸引管４５による気体吸引を制御して隔壁部１０のガス流通下流側への移動を制御する。
【００４０】
このようにすると、前述した紐部材４１を備えた制御本体部４０と同様の効果即ち、新設ガス管Ｔｓ内の空気の残存を無くし、且つパージの作業時間を短縮化することができるとともに、ガス流通下流側の管路内は空気が吸引されるので、ガス流通上流側の管路内のガスへの置換をより確実にすることができる。
【００４１】
また図５（側面図）に示すように、移動制御部３０の制御本体部４０は、紐部材４１の繰り出し及び巻き戻しが可能であり、紐部材４１の先端部が第１連通孔３から新設ガス管Ｔｓ内に挿入されて第１連通孔３から新設ガス管Ｔｓ内に挿入された隔壁部１０に接続され、隔壁部１０よりガス流通上流側の管路内ガス圧力を受けてガス流通下流側へ移動する隔壁部１０の移動によって変化する管路内ガス圧力が所定値より小さくならないように紐部材４１の繰り出しを制御するようにしてもよい。
【００４２】
このようにすると、隔壁部１０は管路内ガス圧力を受けて移動するので、隔壁部１０と新設ガス管Ｔｓ内面との接触圧力を小さくすることができ、膨張する隔壁部１０の内部圧力を小さくすることができる、隔壁部１０の損傷を抑制することができる。
【図面の簡単な説明】
【００４３】
【図１】本発明の一実施の形態に係わるガスパージ装置の側面図を示す。
【図２】このガスパージ装置の隔壁部を示し、同図（ａ）は隔壁部の部分断面図であり、同図（ｂ）は他の隔壁部である。
【図３】ガスパージ方法を説明するための側面図を示す。
【図４】本発明の他の実施形態に係わるガスパージ装置の側面図を示す。
【図５】本発明の他の実施形態に係わるガスパージ装置の側面図を示す。
【符号の説明】
【００４４】
１  ガスパージ装置
３  第１連通孔
４  第２連通孔
１０  隔壁部
１１  バック本体
１５  形状規制手段
３０  移動制御部
４１  紐部材
４５  吸引管
Ｔｓ  新設ガス管（ガス管）
Ｔｕ  既設ガス管（ガス管）
【図１】
0004769087.tif 000002
【図２】
0004769087.tif 000003
【図３】
0004769087.tif 000004
【図４】
0004769087.tif 000005
【図５】
0004769087.tif 000006